【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
処方薬の提出および履行に関連するヘルスケアデータをリアルタイムに処理するためのヘルスケアデータシステムであって、
電子トランザクションハブと、
暗号化されたネットワーク接続を介して前記トランザクションハブに通信可能に結合された、代替薬を含む、標準化された医薬品情報を含む、電子患者転帰（ＥＰＯ）データを含む第１のデータベースと、
暗号化されたネットワーク接続を介して前記トランザクションハブに通信可能に結合された、医薬品患者記録を含む、電子薬局記録（ｅＰＲ）データを含む第２のデータベースと、
暗号化されたネットワーク接続を介して前記トランザクションハブに通信可能に結合されたレビュープロセッサであって、実行されたときに、
第１のプログラム命令に従って、前記トランザクションハブから患者の臨床および処方薬データを含む処方者が発行した電子処方箋を受信するステップと、
第２のプログラム命令に従って、患者固有のアドレスを有し、そのそれぞれのフィールド内に、前記電子処方箋からの前記患者の臨床および処方薬データ、前記第２のデータベースからの前記医薬品患者記録、および前記第１のデータベースからの前記標準化された医薬品情報を含むメッセージとして編集された臨床および分析ファイルを生成するステップと、
第３のプログラム命令に従って、前記臨床および分析ファイルの各フィールドをそれぞれ分析して、前記電子処方箋と、前記第１および第２のデータベースからのデータとの間に前記電子処方箋の編集が必要な不適合性が存在するかどうかを判断し分析するステップと、
第４のプログラム命令に従って、
不適合性が識別された場合は、前記第１のデータベースから代替薬を特定して置き換え、前記臨床および分析ファイルの編集フィールドで前記処方者に提出するステップ、または、
不適合性が識別されない場合は、前記臨床および分析ファイルの前記編集フィールドに、編集は必要ないというメッセージを前記処方者に提出するステップと、
代替薬に応じて前記電子処方箋を編集するか、または前記代替薬に応じて前記電子処方箋の修正を拒否するかのいずれかのために、前記電子処方箋と前記処方者への前記編集フィールドの内容を含む、前記臨床および分析ファイルを送信するステップと、
履行のために前記薬局に前記編集した電子処方箋を送信するステップとを前記レビュープロセッサにさせるコンピュータ実行可能プログラム命令を含むレビュープロセッサとを含むシステム。
【請求項２】
メッセージとして編集された前記臨床および分析ファイルは、
患者の臨床データのため、電子処方箋における処方された医薬品の分析を含むデータのため、および第１のデータベースから取得された医薬品利用データのため、および前記レビュープロセッサによって必要と判断されたときに編集のためのフィールドを有するメッセージとして編集されたデータファイルフォーマットを含み、前記臨床および分析ファイルのそれぞれの前記フィールドは、前記コンピュータシステム内での通信を可能にするためにデータファイル形式で配置され、必要に応じて前記電子処方箋へ編集を決定および通信しながら、前記メッセージに編集された前記データのすべてにアクセスできるようにする、請求項１に記載のシステム。
【請求項３】
前記患者の臨床データは、
提供者の患者記録、代謝および臨床プロファイルデータ、検査室データ、および免疫記録を含む、前記患者に関する既知のヘルスケア情報のうちの１つ以上を含む、請求項２に記載のシステム。
【請求項４】
処方される医薬品の前記データは、
薬局ネットワークの第２のデータベースを含む業界の情報源から入手可能な既知の情報、ならびに医学研究および標準化された業界の編集物を含む、請求項２に記載のシステム。
【請求項５】
医薬品利用のためのデータは、ゲノミクスおよび遺伝的データ、疾患およびアレルギープロファイル、慢性および急性の状態に関する病気管理情報、および薬物の使用と相互作用情報を含む前記第１のデータベースの標準化ファイルを含む、請求項２に記載のシステム。
【請求項６】
前記分析ステップは、前記電子処方箋内の前記患者臨床および投薬データの各部分を、非一致データを不適合性として識別し、レビューのために前記処方者に連絡するために前記代替薬を前記臨床および分析ファイルの前記編集フィールドに入力するために、前記第１および第２のデータベースからそれぞれ取り出された前記患者および医薬品情報の各エントリと比較する、請求項１に記載のシステム。
【請求項７】
前記第１のプログラム命令は、
認可された医療提供者から処方箋情報を受信し、前記処方箋の提出前レビューを開始するステップと、
電子処方箋として前記トランザクションハブを介して前記処方箋をレビュープロセッサとして転送するステップとを含む、請求項１に記載のシステム。
【請求項８】
前記第２のプログラム命令は、
前記レビュープロセッサを介して前記第１および第２のそれぞれのデータベースから患者および医薬品情報にアクセスするステップと、
前記電子処方箋から前記レビュープロセッサを介して前記患者の臨床および処方薬データにアクセスするステップと、
前記レビュープロセッサを介してメッセージとして編集された前記臨床および分析ファイルを生成するステップと、
前記レビュープロセッサを介して前記臨床および分析ファイルにヘッダーコードを挿入するステップとを含む、請求項１に記載のシステム。
【請求項９】
前記第３のプログラム命令は、
前記第１および第２のそれぞれのデータベースからアクセスされた前記患者および医薬品情報と比較して、前記電子処方箋の前記処方薬を分析して、不適合性が存在するかどうかを判断するステップと、
不適合性が識別された場合、前記電子処方箋に必要な編集として代替薬を選択し、前記代替薬を前記電子処方箋に置き換え、編集が必要であることを示すメッセージを前記電子処方箋に添付するステップと、
不適合性が識別されない場合、編集が必要とされないことを示すメッセージを前記電子処方箋に添付するステップとを含む、請求項１に記載のシステム。
【請求項１０】
前記臨床および分析ファイルのフィールドから前記第１および第２のそれぞれの患者および医薬品データベースを更新するステップと、
前記更新されたデータを前記第１および第２のデータベースから共通のフォーマットに変換するステップと、
前記第１および第２のデータベースからの前記更新されたデータを、統合された、ポータブルな、相互運用可能なデータベースである電子患者転帰記録（ＥＰＯＲ）に入力するステップとをさらに含む、請求項１に記載のシステム。
【請求項１１】
ポータブルで相互運用可能な患者の医療および医薬品記録を生成するためのコンピュータ実装方法であって、
第１のプログラム命令に従って、サーバーを介して、患者の臨床および処方薬データを含む、処方者によって発行された電子処方箋を電子トランザクションハブから受信するステップと、
第２のプログラム命令に従って、サーバーを介して、患者固有のアドレスを有するメッセージとして編集された臨床および分析ファイルを生成し、前記電子処方箋からの前記患者の臨床および処方薬データ、第２のデータベースからの前記医薬品患者記録、および第１のデータベースからの前記標準化された医薬品情報をそのそれぞれのフィールドに含めるステップと、
第３のプログラム命令に従って、レビュープロセッサを介して、前記臨床および分析ファイルの各フィールドをそれぞれ分析して、前記電子処方箋と、前記第１および第２のデータベースからのデータとの間に、前記電子処方箋への編集を必要とする不適合性が存在するかどうかを判断するステップと、
第４のプログラム命令に従って、
不適合性が識別された場合は、前記レビュープロセッサは、前記第１のデータベースから代替薬を特定して置き換え、前記臨床および分析ファイルの編集フィールドで前記処方者に提出するステップ、または、
不適合性が識別されない場合は、前記レビュープロセッサは、前記臨床および分析ファイルの前記編集フィールドに、編集は必要ないというメッセージを前記処方者に提出するステップと、
代替薬に応じて前記電子処方箋を編集するか、または前記代替薬に応じて前記電子処方箋の修正を拒否するかのいずれかのために、前記電子処方箋と前記処方者への前記編集フィールドの内容を含む、前記臨床および分析ファイルを送信するステップと、
履行のために前記薬局に前記編集した電子処方箋を送信するステップとを含むコンピュータ実装方法。
【請求項１２】
前記臨床および分析ファイルは、
患者の臨床データのため、電子処方箋における処方された医薬品の分析を含むデータのため、および第１のデータベースから取得された医薬品利用データのため、および前記レビュープロセッサによって必要と判断されたときに編集のためのフィールドを有するメッセージとして編集されたデータファイルフォーマットを含み、前記臨床および分析ファイルのそれぞれの前記フィールドは、前記コンピュータシステム内での通信を可能にするためにデータファイル形式で配置され、必要に応じて前記電子処方箋へ編集を決定および通信しながら、前記メッセージに編集された前記データのすべてにアクセスできるようにする、請求項１１に記載の方法。
【請求項１３】
前記患者の臨床データは、
提供者の患者記録、代謝および臨床プロファイルデータ、検査室データ、および免疫記録を含む、前記患者に関する既知のヘルスケア情報のうちの１つ以上を含む、請求項１２に記載の方法。
【請求項１４】
処方される医薬品の前記データは、
薬局ネットワークの第２のデータベースを含む業界の情報源から入手可能な既知の情報、ならびに医学研究および標準化された業界の編集物を含む、請求項１２に記載の方法。
【請求項１５】
医薬品利用のためのデータは、ゲノミクスおよび遺伝的データ、疾患およびアレルギープロファイル、慢性および急性の状態に関する病気管理情報、および薬物の使用と相互作用情報を含む前記第１のデータベースの標準化ファイルを含む、請求項１２に記載の方法。
【請求項１６】
前記分析ステップは、前記電子処方箋内の前記患者臨床および投薬データの各部分を、非一致データを不適合性として識別し、レビューのために前記処方者に連絡するために前記代替薬を前記臨床および分析ファイルの前記編集フィールドに入力するために、前記第１および第２のデータベースからそれぞれ取り出された前記患者および医薬品情報の各エントリと比較する、請求項１１に記載の方法。
【請求項１７】
前記第１のプログラム命令は、
認可された医療提供者から処方箋情報を受信し、前記処方箋の提出前レビューを開始するステップと、
電子処方箋として前記トランザクションハブを介して前記処方箋をレビュープロセッサとして転送するステップとを含む、請求項１１に記載の方法。
【請求項１８】
前記第２のプログラム命令は、
前記レビュープロセッサを介して前記第１および第２のそれぞれのデータベースから患者および医薬品情報にアクセスするステップと、
前記電子処方箋から前記レビュープロセッサを介して前記患者の臨床および処方薬データにアクセスするステップと、
前記レビュープロセッサを介してメッセージとして編集された前記臨床および分析ファイルを生成するステップと、
前記レビュープロセッサを介して前記臨床および分析ファイルにヘッダーコードを挿入するステップとを含む、請求項１１に記載の方法。
【請求項１９】
前記第３のプログラム命令は、
前記第１および第２のそれぞれのデータベースからアクセスされた前記患者および医薬品情報と比較して、前記電子処方箋の前記処方薬を分析して、不適合性が存在するかどうかを判断するステップと、
不適合性が識別された場合、前記電子処方箋に必要な編集として代替薬を選択し、前記代替薬を前記電子処方箋に置き換え、編集が必要であることを示すメッセージを前記電子処方箋に添付するステップと、
不適合性が識別されない場合、編集が必要とされないことを示すメッセージ前記電子処方箋に添付するステップとを含む、請求項１１に記載の方法。
【請求項２０】
前記臨床および分析ファイルのフィールドから前記第１および第２のそれぞれの患者および医薬品データベースを更新するステップと、
前記更新されたデータを前記第１および第２のデータベースから共通のフォーマットに変換するステップと、
前記第１および第２のデータベースからの前記更新されたデータを、統合された、ポータブルな、相互運用可能なデータベースである電子患者転帰記録（ＥＰＯＲ）に入力するステップとをさらに含む、請求項１１に記載の方法。